(57)【要約】【課題】主に各種電子機器に用いられる電池ユニットに関し、必要な箇所にのみ絶縁被膜が形成でき、確実な絶縁が可能なものを提供することを目的とする。【解決手段】スイッチング素子２と電子部品５が装着された配線基板１１の所定箇所に、溝部１３または窪部１４を形成することによって、スイッチング素子２や電子部品５の一部または全体を覆う絶縁被膜８を塗布形成する際、溝部１３や窪部１４によって、絶縁被膜８が配線基板１１上面に拡がることを防ぎ、必要な箇所を均等な厚さで、絶縁被膜８で覆うことができるため、確実な絶縁が可能な電池ユニットを得ることができる。【選択図】図１
2009076345.tif 000002
【特許請求の範囲】
【請求項１】
複数の配線パターンが形成された配線基板と、電池電源の切換えを行うスイッチング素子と、このスイッチング素子や電子部品の一部または全体を覆う絶縁被膜からなり、上記配線基板の所定箇所に溝部または窪部を形成した電池ユニット。
【発明の詳細な説明】
【技術分野】
【０００１】
本発明は、主に各種電子機器に用いられる電池ユニットに関するものである。
【背景技術】
【０００２】
近年、ノートパソコンやビデオカメラ等の携帯機器においては、充電可能な電池を装着すると共に、携帯時にはこの電池電源を用いて様々な操作が行われており、これらの機器に用いられる電池ユニットにおいても、安価で、確実な電子回路の保護を行えるものが求められている。
【０００３】
このような従来の電池ユニットについて、図７〜図９を用いて説明する。
【０００４】
図７は従来の電池ユニットの斜視図であり、同図において、１は上下面に複数の配線パターン（図示せず）が形成された配線基板、２はＦＥＴやトランジスタ等のスイッチング素子で、配線基板１上面の複数のランド３に、スイッチング素子２の複数の端子４が半田付けによって実装接続されると共に、配線パターンを介してスイッチング素子２が電池（図示せず）や機器の電子回路（図示せず）に接続されている。
【０００５】
また、５は固定抵抗器やコンデンサ等の電子部品で、左右の端子６がランド７に半田付けされて、スイッチング素子２や電池に接続されると共に、ランド３や７を除く配線基板１全面にはレジスト層（図示せず）が形成され、この複数の電子部品５の全体や、スイッチング素子２の端子４の一部を絶縁被膜８が覆って、電池ユニットが構成されている。
【０００６】
そして、このような電池ユニットを製作する際には、先ず図８の分解斜視図に示すように、配線基板１上面のランド３や７上面にクリーム半田（図示せず）を印刷した後、ランド３にスイッチング素子２の端子４を、ランド７に電子部品５の端子６を各々載置し加熱して、図９の斜視図に示すように、配線基板１上面にスイッチング素子２や複数の電子部品５を半田付けする。
【０００７】
さらに、この後、スイッチング素子２の端子４の一部や、電子部品５の全体に液状の絶縁被膜８を塗布し、これを乾燥させて、図７に示すような電池ユニットが完成する。
【０００８】
以上の構成において、機器を携帯時には、スイッチング素子２を介して電池から電子回路に電源が供給されて、機器の様々な操作が行われ、また、電池に充電を行う際には、スイッチング素子２が切換えられ、このスイッチング素子２を介して充電器等から電池に充電が行われる。
【０００９】
また、このような使用時に、万が一機器内に水等の液体や塵埃が侵入して、これらが端子４や６、ランド３や７に付着した場合に、短絡等の支障をきたす箇所には、上記のように絶縁被膜８を形成することによって、多少の液体や塵埃が侵入した場合でも、機器の損傷が生じづらいように構成されているものであった。
【００１０】
なお、この出願の発明に関連する先行技術文献情報としては、例えば、特許文献１が知られている。
【特許文献１】特開平１１−３３０６６５号公報
【発明の開示】
【発明が解決しようとする課題】
【００１１】
しかしながら、上記従来の電池ユニットにおいては、スイッチング素子２や電子部品５の一部、または全体を覆う絶縁被膜８を形成する際、塗布乾燥時に、ある程度の粘性はあるが液状である絶縁被膜８が、配線基板１上面で拡がってしまうため、均等な厚さで絶縁被膜８を形成することが困難であると共に、不要な箇所にも絶縁被膜８が形成されてしまうという課題があった。
【００１２】
本発明は、このような従来の課題を解決するものであり、必要な箇所にのみ絶縁被膜が形成でき、確実な絶縁が可能な電池ユニットを提供することを目的とする。
【課題を解決するための手段】
【００１３】
上記目的を達成するために本発明は、スイッチング素子と電子部品が装着された配線基板の所定箇所に、溝部または窪部を形成して電池ユニットを構成したものであり、スイッチング素子や電子部品の一部または全体を覆う絶縁被膜を塗布形成する際、溝部または窪部によって、絶縁被膜が配線基板上面に拡がることを防ぎ、必要な箇所を均等な厚さで、絶縁被膜で覆うことができるため、確実な絶縁が可能な電池ユニットを得ることができるという作用を有するものである。
【発明の効果】
【００１４】
以上のように本発明によれば、必要な箇所にのみ絶縁被膜が形成でき、確実な絶縁が可能な電池ユニットを実現することができるという有利な効果が得られる。
【発明を実施するための最良の形態】
【００１５】
以下、本発明の実施の形態について、図１〜図６を用いて説明する。
【００１６】
なお、背景技術の項で説明した構成と同一構成の部分には同一符号を付して、詳細な説明を簡略化する。
【００１７】
（実施の形態）
図１は本発明の一実施の形態による電池ユニットの断面図、図２は同斜視図であり、同図において、１１は紙フェノールやガラス入りエポキシ等の配線基板で、上下面には銅等によって複数の配線パターン（図示せず）が形成されると共に、上面には複数のランド３や７が設けられている。
【００１８】
そして、２はＦＥＴやトランジスタ等のスイッチング素子で、配線基板１１上面の複数のランド３に、複数の端子４が半田付けによって実装接続され、配線パターンを介してスイッチング素子２が電池（図示せず）や機器の電子回路（図示せず）に接続されている。
【００１９】
また、５は固定抵抗器やコンデンサ等の電子部品で、左右の端子６がランド７に半田付けされて、スイッチング素子２や電池に接続されると共に、ランド３や７を除く配線基板１１全面には、エポキシやポリエステル等の複数のレジスト層１２が、厚さ３０〜５０μｍ前後に重ねて形成されている。
【００２０】
さらに、複数の電子部品５やスイッチング素子２の周囲には、レジスト層１２が除かれ配線基板１１の素地が露出した、幅０．２〜１ｍｍ前後の溝部１３が形成されると共に、複数の電子部品５の全体や、スイッチング素子２の端子４の一部を、エポキシやポリエステル等の絶縁被膜８が、厚さ０．０５〜１ｍｍ前後で覆って、電池ユニットが構成されている。
【００２１】
また、このような電池ユニットを製作する際には、先ず図３の分解斜視図に示すように、レジスト層１２や溝部１３が形成された配線基板１１上面の、ランド３や７上面にクリーム半田（図示せず）を印刷した後、ランド３にスイッチング素子２の端子４を、ランド７に電子部品５の端子６を各々載置し加熱して、図４の斜視図に示すように、配線基板１１にスイッチング素子２や複数の電子部品５を半田付けする。
【００２２】
さらに、この後、スイッチング素子２の端子４の一部や、電子部品５の全体に液状の絶縁被膜８を塗布し、これを所定温度で所定時間、例えば１３０℃で３時間前後乾燥させて、図１や図２に示すような電池ユニットが完成する。
【００２３】
なお、この塗布乾燥によって絶縁被膜８を形成する際、ある程度の粘性はあるが液状である絶縁被膜８が、配線基板１１上面で拡がろうとするが、電子部品５やスイッチング素子２周囲の配線基板１１上面には、溝部１３が形成されているため、この溝部１３から外方には絶縁被膜８が拡がらないようになっている。
【００２４】
つまり、配線基板１１上面の電子部品５やスイッチング素子２周囲の、絶縁被膜８で覆う必要のある箇所に、溝部１３を形成することによって、絶縁被膜８を塗布形成する際、絶縁被膜８が溝部１３から外方に拡がることを防ぎ、スイッチング素子２の一部や電子部品５全体等の、必要な箇所を均等な厚さで、絶縁被膜８で覆うことができるように構成されている。
【００２５】
以上の構成において、機器を携帯時には、スイッチング素子２を介して電池から電子回路に電源が供給されて、機器の様々な操作が行われ、また、電池に充電を行う際には、スイッチング素子２が切換えられ、このスイッチング素子２を介して充電器等から電池に充電が行われる。
【００２６】
また、このような使用時に、万が一機器内に水等の液体や塵埃が侵入したとしても、これらが端子４や６、ランド３や７に付着し短絡等の支障をきたす箇所には、上記のように絶縁被膜８が形成され覆われているため、多少の液体や塵埃が侵入した場合でも、機器の損傷が生じづらいように構成されている。
【００２７】
なお、以上の説明では、電子部品５やスイッチング素子２周囲の配線基板１１上面に、溝部１３を形成した構成について説明したが、図５の斜視図に示すように、配線基板１１上面の絶縁被膜８で覆う必要のある箇所の周囲に、窪部１４を形成した構成としても、同様の効果を得ることができる。
【００２８】
つまり、図６の斜視図に示すように、スイッチング素子２の端子４や電子部品５の周囲に、レジスト層１２が除かれ配線基板１１の素地が露出した窪部１４を形成すると共に、この配線基板１１上面のランド３や７にスイッチング素子２や電子部品５を半田付けする。
【００２９】
そして、この後、図５に示すように、スイッチング素子２の端子４の一部や、電子部品５の全体に液状の絶縁被膜８を塗布し、乾燥して電池ユニットを形成すれば、絶縁被膜８が窪部１４内に留まり、外方の不要な箇所にまで絶縁被膜８が拡がることを防ぐことができると共に、スイッチング素子２や電子部品５の必要な箇所を均等な厚さで、絶縁被膜８で覆うことが可能となる。
【００３０】
このように本実施の形態によれば、スイッチング素子２と電子部品５が装着された配線基板１１の所定箇所に、溝部１３または窪部１４を形成することによって、スイッチング素子２や電子部品５の一部または全体を覆う絶縁被膜８を塗布形成する際、溝部１３や窪部１４によって、絶縁被膜８が配線基板１１上面に拡がることを防ぎ、必要な箇所を均等な厚さで、絶縁被膜８で覆うことができるため、確実な絶縁が可能な電池ユニットを得ることができるものである。
【産業上の利用可能性】
【００３１】
本発明による電池ユニットは、必要な箇所にのみ絶縁被膜が形成でき、確実な絶縁が可能なものが得られ、各種電子機器の電池ユニット用として有用である。
【図面の簡単な説明】
【００３２】
【図１】本発明の一実施の形態による電池ユニットの断面図
【図２】同斜視図
【図３】同分解斜視図
【図４】同斜視図
【図５】同他の実施の形態による斜視図
【図６】同斜視図
【図７】従来の電池ユニットの斜視図
【図８】同分解斜視図
【図９】同斜視図
【符号の説明】
【００３３】
２  スイッチング素子
３、７  ランド
４、６  端子
５  電子部品
８  絶縁被膜
１１  配線基板
１２  レジスト層
１３  溝部
１４  窪部
【図１】
2009076345.tif 000003
【図２】
2009076345.tif 000004
【図３】
2009076345.tif 000005
【図４】
2009076345.tif 000006
【図５】
2009076345.tif 000007
【図６】
2009076345.tif 000008
【図７】
2009076345.tif 000009
【図８】
2009076345.tif 000010
【図９】
2009076345.tif 000011